(57)【要約】【課題】本発明は画像出力を行なう表示デバイスが設定されると自動的に画像入力を行なう適切なカメラデバイスの選択を行なう情報処理装置、およびプログラムを提供することを課題とする。【解決手段】ユーザが画像出力を行なう表示デバイスを設定すると、CPU２０１はHDD２０５に記憶されている切り替え情報を読み出す。切り替え情報には画像を表示する表示デバイスと、その際に撮影するカメラデバイスとがあらかじめ対応付けされており、CPU２０１はこの切り替え情報に基づいて、画像出力を行なう表示デバイスに対応付けられたカメラデバイスを撮影用カメラデバイスとして選択する。【選択図】図２
2010170423.tif 000002
【特許請求の範囲】
【請求項１】
複数の表示装置に表示画像を出力可能な出力手段と、
撮影装置より撮影画像を取得可能な複数の入力手段と、
前記表示装置、および、前記撮影装置との対応関係を記憶する記憶手段と、
前記表示画像が表示される前記出力手段に接続された表示装置に応じて、前記対応関係で示される撮影装置が接続された前記入力手段の１つから前記撮影画像を取得するように該入力手段を設定する設定手段と
を具備することを特徴とする情報処理装置。
【請求項２】
前記記憶手段に記憶される前記表示装置と前記撮影装置との対応関係の変更を行なう変更手段と
をさらに具備することを特徴とする請求項１記載の情報処理装置。
【請求項３】
前記出力手段は前記情報処理装置に設けられた本体表示装置と、該情報処理装置外部に設置された外部表示装置に前記表示画像を出力可能であり、
前記入力手段は前記情報処理装置に設けられた本体撮影装置と、該情報処理装置外部に設置された外部撮影装置から前記撮影画像を取得可能であり、
前記記憶手段は、前記外部表示装置と前記外部撮影装置とを対応付けて記憶しており、
前記設定手段は前記表示画像が表示される前記出力手段に接続された前記表示装置が前記外部表示装置に設定されたとき、前記外部撮影装置から前記撮影画像を取得するように前記入力手段を設定すること
を特徴とする請求項１または請求項２記載の情報処理装置。
【請求項４】
前記出力手段は前記情報処理装置に設けられた本体表示装置と、該情報処理装置外部に設置された外部表示装置に前記表示画像を出力可能であり、
前記入力手段は前記情報処理装置に設けられた本体撮影装置と、該情報処理装置外部に設置された外部撮影装置から前記撮影画像を取得可能であり、
前記記憶手段は、前記本体表示装置と前記本体撮影装置とを対応付けて記憶しており、
前記設定手段は前記表示画像が表示される前記出力手段に接続された前記表示装置が前記本体表示装置に設定されたとき、前記本体撮影装置から前記撮影画像を取得するように前記入力手段を設定すること
を特徴とする請求項１または請求項２記載の情報処理装置。
【請求項５】
前記出力手段は前記情報処理装置に設けられた本体表示装置と、該情報処理装置外部に設置された外部表示装置に前記表示画像を出力可能であり、
前記入力手段は前記情報処理装置に設けられた本体撮影装置と、該情報処理装置外部に設置された外部撮影装置から前記撮影画像を取得可能であり、
前記設定手段は前記表示画像が表示される前記出力手段に接続された前記表示装置が前記本体表示装置および前記外部表示装置である場合、前記記憶手段に記憶された対応付けに従って、前記撮影装置の１つから前記撮影画像を取得するように該入力手段を設定すること
を特徴とする請求項１または請求項２記載の情報処理装置。
【請求項６】
複数の表示装置に表示画像を出力可能な出力手段と、
複数の撮影装置より撮影画像を入力可能な入力手段と、
記憶手段と、
処理手段と
を有する情報処理装置において実行されるプログラムであって、
前記記憶手段には前記表示装置、および、前記撮影装置との対応関係が記憶されており、
前記出力手段に接続された前記表示画像が表示される表示装置に応じて、前記対応関係で示される撮影装置が接続された前記入力手段の１つから前記撮影画像を取得するように、前記処理手段に該入力手段を設定させること
を特徴とするプログラム。
【請求項７】
前記記憶手段に変更可能に記憶された前記表示装置と前記撮影装置の対応関係を、前記処理手段に変更させること
を特徴とする請求項６記載のプログラム。
【発明の詳細な説明】
【技術分野】
【０００１】
本発明は情報処理装置を用いる撮影装置設定方法に関するものであり、特に画像出力を行なう表示装置の表示状態に基づいて、撮影装置を選択する情報処理装置および該情報処理装置において実行されるプログラムに関する。
【背景技術】
【０００２】
近年、PC（Personal Computer）等の情報処理装置においてPC本体に静止画や動画をキャプチャ可能なカメラデバイスが内蔵されたPCが提供され、ユーザはそのカメラデバイスを用いて他のユーザとビデオチャットを行なうことが可能になってきた。また、カメラデバイスによってキャプチャされる（PCに向かって行った）ユーザの手の動きに基づいて、ユーザがリモコンを用いずに離れた場所からPCを操作するといったジェスチャーリモコン機能も実用化されている。
【０００３】
PCの主な表示装置としては内蔵LCD（Liquid Crystal Display）が搭載される。PCの外部表示インターフェースとしては、アナログRGBによる外部モニタ出力、S端子やHDMI（High-Definition Multimedia Interface）等によるテレビ出力等の外部画像出力を持つものが多い。一方、PCは内蔵されたカメラデバイスの他にUSB（Universal Serial Bus）接続に対応した高画質、高機能な外部カメラデバイスが普及しており、これを利用するとユーザはカメラデバイスをPC周辺の任意の位置にも設置することができる。PCはこれら外部表示デバイスと外部カメラデバイスを用いることによっても、内蔵された表示デバイス、カメラデバイスと同様のビデオチャットやジェスチャーリモコンを利用することが可能である。
【０００４】
ビデオチャット中やジェスチャーリモコン操作中は、通常ユーザは表示デバイス側を向いている。これはユーザはチャット相手の動作や、リモコン操作の結果を確認しながらPCを利用する必要があるためである。もしも表示デバイスの表示方向に撮影中のカメラデバイスが存在しないならば、ユーザにとって操作がし難くなる。よって表示中の表示デバイスの切り替えに応じて、撮影するカメラデバイスも切り替えることが好ましい。
【０００５】
たとえば、表示デバイスの切り替えボタンを設けることで表示デバイスの切り替えを簡易に行なうことの可能なPCが提案されている（特許文献１を参照）。このとき表示デバイスの切り替えに応じてカメラデバイスの切り替えを行なう開示はなく、ユーザ自身がショートカットキー等を用いて撮影に用いるカメラデバイスを逐次切り替える必要がある。
【先行技術文献】
【特許文献】
【０００６】
【特許文献１】特開２００４−１７１１３１号公報
【発明の概要】
【発明が解決しようとする課題】
【０００７】
上記のように撮影に用いる撮影装置の選択は表示装置の設定毎にユーザが設定操作を行なう必要があった。
【０００８】
本発明は上記問題に鑑みてなされたもので、表示装置が設定されると自動的に画像入力を行なう適切な撮影装置の選択を行なう情報処理装置、該情報処理装置において実行されるプログラムを提供することを目的とする。
【課題を解決するための手段】
【０００９】
本発明にかかる情報処理装置は、複数の表示装置に表示画像を出力可能な出力手段と、撮影装置より撮影画像を取得可能な複数の入力手段と、前記表示装置、および、前記撮影装置との対応関係を記憶する記憶手段と、前記表示画像が表示される前記出力手段に接続された表示装置に応じて、前記対応関係で示される撮影装置が接続された前記入力手段の１つから前記撮影画像を取得するように該入力手段を設定する設定手段とを具備することを特徴としている。
【００１０】
また、本発明にかかるプログラムは、複数の表示装置に表示画像を出力可能な出力手段と、複数の撮影装置より撮影画像を入力可能な入力手段と、記憶手段と、処理手段とを有する情報処理装置において実行されるプログラムであって、前記記憶手段には前記表示装置、および、前記撮影装置との対応関係が記憶されており、前記出力手段に接続された前記表示画像が表示される表示装置に応じて、前記対応関係で示される撮影装置が接続された前記入力手段の１つから前記撮影画像を取得するように、前記処理手段に該入力手段を設定させることを特徴としている。
【発明の効果】
【００１１】
本発明は画像を表示する出力先の表示装置の設定がされることにより、該表示装置の表示状態に基づいて撮影に用いる撮影装置を自動的に選択する情報処理装置、該情報処理装置において実行されるプログラムを実現することができる。
【図面の簡単な説明】
【００１２】
【図１】本実施形態における表示撮影システムの一例を示す図
【図２】本実施形態における表示撮影システムおよびPCの内部構成の一例を示す図
【図３】本実施形態における表示撮影システムおよびユーザの位置関係の一例を示す図
【図４】本実施形態における表示デバイスに対する画像情報の表示パターンの一例を示す図
【図５】本実施形態における切り替え情報の一例を示す図
【図６】出力先の表示デバイスの設定／設定変更を行なったときのカメラデバイスの選択処理フローの一例を示したフロー図
【発明を実施するための形態】
【００１３】
以下、本発明の実施形態を図面を参照しながら説明する。
【００１４】
図１は本実施形態における表示撮影システム１０の一例を示す図である。図１には表示撮影システム１０、PC１１、本体カメラ１２、外部モニタ１３、および外部カメラ１４が示されている。
【００１５】
PC１１は例えばパーソナルコンピュータ（Personal Computer）であり、各種の情報処理が可能な情報処理装置である。情報処理の一例として、PC１１はビデオチャット機能やジェスチャーリモコン機能を有している。
【００１６】
本体カメラ１２はPC１１の表示筐体側に設けられており、PC１１は表示側筐体正面の像を撮影する機能を有している。本実施形態では本体カメラ１２はPC１１のLCDの上に設置されるよう例示しているが、これに限定されるものではない。
【００１７】
外部モニタ１３は例えばLCD等の画像表示装置であり、外部から入力される画像情報を表示する機能を有している。外部モニタ１３は例えばHDMI、S端子、アナログRGB等の画像情報の伝達可能なインターフェースによってPC１１と接続されている。本実施形態においては、外部モニタ１３はLCDであると例示するがこれに限定されるものではなく、他の表示装置としてCRT（Cathode Ray Tube）モニタ、TV等が考えられる。
【００１８】
外部カメラ１４はレンズ正面の像を撮影可能なカメラデバイスであり、画像情報の伝達可能なインターフェースによってPC１１と接続されている。
【００１９】
図２は本実施形態における表示撮影システム１０およびPC１１の内部構成の一例を示す図である。図２には表示撮影システム１０、PC１１、CPU２０１、チップセット２０２、ROM２０３、RAM２０４、HDD２０５、ODD２０６、入力装置２０７、入力制御部２０８、表示制御部２０９、VRAM２１０、LCD２１１、外部カメラI/F２１２、外部モニタ、１３、本体カメラ１２、および外部カメラ１４が示されている。
【００２０】
CPU２０１は中央演算処理装置（Central Processing Unit）であり、PC１１全体を制御している。またプログラムを実行し、そのプログラムに応じた所定の処理を実行する機能を有している。
【００２１】
チップセット２０２はメモリコントローラ、バスブリッジ、IDE（Integrated Drive Electronics）コントローラ、各種I/Oコントローラ等を備えた集積回路であり、接続される各種モジュールを通信可能とする機能を有している。チップセット２０２は外部カメラI/F２１２および本体カメラ１２と接続されており、画像入力先のカメラデバイスを切り替えるセレクタを備えている。
【００２２】
ROM２０３は半導体メモリによって構成されCPU２０１の実行するプログラムを格納している。
【００２３】
RAM２０４は半導体メモリにより構成され、CPU２０１がプログラムを処理する際のプログラムおよびデータの展開用領域として利用される。
【００２４】
HDD２０５は例えば磁気ディスク装置であり、PC１１のデータを保存する不揮発性の領域として利用される。また、HDD２０５は出力先の表示デバイスと撮影を行なうカメラデバイスとが対応付けられた切り替え情報を有している。以下、LCD２１１と外部モニタ１３を合わせて表示デバイス、本体カメラ１２と外部カメラ１４を合わせてカメラデバイスと呼ぶ。
【００２５】
ODD２０６は例えば光学ディスクドライブ（Optical Disk Drive）であり、リムーバルメディアとしてPC１１が使用するプログラム、データ等を格納している。PC１１のリムーバルメディアとして本実施形態ではODD２０６を例示しているが、これに限定されるものではなく他にもFlashメモリ等の様々な形態が考えられる。
【００２６】
入力装置２０７は例えばキーボード、マウス等のPC１１への情報入力装置であり、ユーザの操作情報を入力制御部２０８に伝達する機能を有している。
【００２７】
入力制御部２０８は入力装置２０７からの入力情報を制御する制御部である。入力装置２０７から伝達されるユーザの操作情報を電気信号としてPC１１に入力する機能を有している。
【００２８】
表示制御部２０９は表示デバイスへの画像出力を制御する機能を有しており、CPU２０１の描画指示に従い出力する画像を生成し、接続された表示デバイスに画像情報の出力を行なう画像処理用の半導体チップであるGPU（Graphics Processing Unit）、画像出力先の表示デバイスを切り替えるセレクタ、デジタル信号をアナログ出力等に変換を行なうコンバータ等を備えている。
【００２９】
VRAM２１０は半導体メモリにより構成され、表示デバイスに表示される画像情報を保持する機能を持つ。
【００３０】
LCD２１１は例えば液晶ディスプレイ(Liquid Crystal Display)であり、PC１１表面に設けられ、PC１１が出力する画像情報をユーザに向けて表示する機能を有している。
【００３１】
外部カメラI/F２１２は外部カメラ１４とPC１１を接続するインターフェースであり、外部カメラ１４から伝達される画像情報をPC１１に入力する機能を有している。
【００３２】
図３は本実施形態における表示撮影システム１０およびユーザの位置関係の一例を示す図である。図３にはPC１１、本体カメラ１２、外部モニタ１３、外部カメラ１４、およびユーザが示されている。
【００３３】
PC１１におけるビデオチャットやジェスチャーリモコン等の機能を使用する場合、通常はLCD２１１に画像を表示し、本体カメラ１２によってユーザの画像のキャプチャを行なうが、本実施形態では外部モニタ１３、外部カメラ１４とPC１１は接続されており、外部モニタ１３に画像の表示を行い、外部カメラ１４より画像のキャプチャを行なうことが可能である。これら（ビデオチャット、ジェスチャーリモコン等）の機能を使用する場合は、ユーザが撮影を行なうカメラデバイスの正面に位置し、カメラデバイスに対して対面する姿勢となる。例えばこれらの機能を使用中に出力先の表示デバイスをLCD２１１から外部モニタ１３へ切り替えた場合、カメラデバイスの切り替えを行なわず本体カメラ１２によって撮影を行なうとすると、ユーザは視聴する方向と、向くべき方向が異なってしまう。そのため出力先の表示デバイスの切り替えを行なった場合には、撮影を行なうカメラデバイスの切り替えを行なう必要が生じる。また、本実施形態においては（図３においては）、本体カメラ１２と外部カメラ１４のキャプチャ空間に同一の範囲が存在するが、それぞれの配置によってはキャプチャ空間が全く異なることも考えられる。これらの機能（ビデオチャット、ジェスチャーリモコン等）を使用する場合は表示デバイスの表示方向とカメラデバイスの撮影方向が同じであることが好適である。
【００３４】
従来のPCでは出力先の表示デバイスの切り替えを行なった際の、撮影を行なうカメラデバイスの切り替えはユーザがショートカットキー等で自ら行なう必要があったが、本実施形態におけるPC１１は表示デバイスの表示状態に基づいて、撮影を行なうカメラデバイス
を自動的に選択する機能を有している。
【００３５】
図４は本実施形態における表示デバイスに対する画像情報の表示パターンの一例を示す図である。図４にはLCD２１１および外部モニタ１３のパターンA〜パターンEのそれぞれのパターンでの画面の表示状態が示されている。
【００３６】
表示デバイスに対するPC１１からの画像出力モードには例えば「単体表示」、「同時表示」、「マルチモニタ」等がある。「単体表示」はLCD２１１若しくは外部モニタ１３のどちらか一方にのみ画像の出力を行なう画像出力モードである。「同時表示」はLCD２１１、外部モニタ１３に両方に同じ画像情報の出力を行なう画像出力モードである。「マルチモニタ」はLCD２１１と外部モニタ１３にそれぞれ別の画像情報の出力を行なう画像出力モードである。本実施形態において、「マルチモニタ」において出力される２つの画像情報をそれぞれプライマリ画面、セカンダリ画面と呼び、図５ではプライマリ画面を「１」、セカンダリ画面を「２」として図示する。また、単体表示および同時表示において表示される画面もプライマリ画面と呼ぶ。
【００３７】
本実施形態における画像情報の表示パターンはパターンA〜パターンEの５つのパターンを例示している。パターンAは「単体表示」であり、LCD２１１にのみ画像情報を表示を行なう表示パターンである。パターンBもまた「単体表示」であり、パターンBでは外部モニタ１３にのみ画像情報の表示を行なう表示パターンである。パターンCは「同時表示」であり、LCD２１１、外部モニタ１３にそれぞれ同じ画像情報を表示する表示パターンである。パターンDは「マルチモニタ」であり、LCD２１１にはプライマリ画面を表示し、外部モニタ１３にはセカンダリ画面を表示する表示モードである。パターンEもまた「マルチモニタ」であり、LCD２１１にセカンダリ画面を表示し、外部モニタ１３にプライマリ画面を表示する表示モードである。本実施形態において表示パターンは５つのパターンを例示しているが、接続される表示デバイスの台数、画像情報の内容によってパターン数は変化するため、当然これらの５パターンに限定されるものではない。
【００３８】
図５は本実施形態における切り替え情報５０の一例を示す図である。図５には切り替え情報５０、カウンタ項目５１、画像出力モード項目５２、プライマリ画面表示デバイス項目５３、セカンダリ画面表示デバイス項目５４、および使用カメラデバイス項目５５が示されている。
【００３９】
切り替え情報５０はHDD２０５に格納される、出力先の表示デバイスと撮影を行なうカメラデバイスとの対応関係が記されるテーブルである。PC１１は切り替え情報５０に基づいて撮影を行なうカメラデバイスの選択を行なう。切り替え情報５０はカウンタ項目５１、画像出力モード項目５２、プライマリ画面表示デバイス項目５３、セカンダリ画面表示デバイス項目５４、および使用カメラデバイス項目５５の項目を持つ。
【００４０】
カウンタ項目５１は画像情報の表示パターン毎に設定される１から連番の識別子が示されており、本実施形態ではパターンA〜パターンEに対してそれぞれNo.１〜５が対応する。
【００４１】
画像出力モード項目５２は上述のそれぞれの表示パターンにおける画像出力モードが記されている。
【００４２】
プライマリ画面表示デバイス項目５３には上述のそれぞれのパターンにおけるプライマリ画像を表示する表示デバイスの情報が記されている。
【００４３】
セカンダリ画面表示デバイス項目５４には上述のそれぞれのパターンにおけるセカンダリ画像を表示する表示デバイスの情報が記されている。
【００４４】
使用カメラデバイス項目５５には上述それぞれのパターンにおいて、使用されるカメラデバイスの情報が記されている。
【００４５】
PC１１はビデオチャット、ジェスチャーリモコン等の機能を使用するとき表示デバイスの表示状態の情報を取得し、切り替え情報５０に基づいて、使用するカメラデバイスの選択を行なう。例えば、PC１１が外部モニタ１３のみに画像出力を行なう場合は、カウンタはNo.２となり、使用するカメラデバイスは外部カメラ１４となる。
【００４６】
またこの切り替え情報５０の内容はユーザによって任意に設定可能となっており、ユーザは使用方法によって所望の設定に変更できる。ユーザがPC１１に変更情報を入力するとCPU２０１がHDD２０５内に記憶される切り替え情報５０の内容の変更を行なう。例えば、表示パターンCにおいて（LCD２１１と外部モニタ１３に同時表示をおこなうとき）、本実施形態のデフォルトとしては使用カメラデバイスは本体カメラ１２となっているが、ユーザがパターンCにおいて外部カメラ１４を使用したいときは、ユーザは切り替え情報５０のパターンCにおける（カウンタNo.３）使用カメラデバイス項目５５の設定を本体カメラ１２から外部カメラ１４に変更を行なうことができ、使用カメラデバイス設定をユーザの使用方法にあった設定とすることが可能である。
【００４７】
図６は本実施形態における出力先の表示デバイスの設定／設定変更を行なったときのカメラデバイスの選択処理フローの一例を示したフロー図である。
【００４８】
本実施形態においてPC１１がビデオチャット、ジェスチャーリモコン等の機能を使用するとき、まず表示を行なう表示デバイスの設定を行う必要がある。ユーザから表示デバイスの指定が行なわれていない場合はLCD２１１に単体表示を行なう。またそれらの機能使用中にも表示方法の設定変更が可能であり、表示デバイスの設定／設定変更が行なわれた場合には以下のカメラデバイスの決定処理フローに入る。
【００４９】
まず画像の出力先の表示デバイスが設定されたかの判別をCPU２０１が行なう（S６０１）。設定が行われていない場合は（No）、再びS６０１に戻る。設定が行われると（Yes）、CPU２０１はHDD２０５より切り替え情報５０を取得する。上述のように切り替え情報５０には出力先の表示デバイスと使用するカメラデバイスとが対応付けられている。次にCPU２０１はループのカウンタを１に設定する（S６０３）。ここでのループとは切り替え情報５０中からS６０１で設定された表示状態の表示パターンを探索するためのループである。CPU２０１はS６０１にて設定された表示画面の表示状態が切り替え情報５０のS６０３で設定されたカウンタの表示デバイス情報と一致するか否かを判別する（S６０４）。異なっていれば（No）、CPU２０１はループのカウンタに１を加え（S６０５）、S６０４に戻る。S６０４に設定された表示画面の表示状態と、切り替え情報５０のS６０３で設定されたカウンタの表示デバイス情報とが一致していれば（Yes）、CPU２０１は切り替え情報５０の一致したカウンタにおける使用カメラデバイスの情報を読み出す（S６０６）。S６０６において読み出された使用カメラデバイス情報で使用されるカメラデバイスが本体カメラ１２であったならば（S６０７、Yes）、CPU２０１の指示によりチップセット２０２が入力先のカメラデバイスを本体カメラ１２に設定し、外部カメラ１４の使用を無効とする（S６０８）。S６０６において読み出された使用カメラデバイス情報で使用されるカメラデバイスが外部カメラ１４であったならば（S６０７、No）、CPU２０１の指示によりチップセット２０２が入力先のカメラデバイスを外部カメラ１４に設定し、本体カメラ１２の使用を無効とする（S６０９）。S６０８、S６０９が終了すると、本実施形態におけるカメラデバイスの設定処理フローは終了となる。
【００５０】
マルチモニタ表示における表示デバイスの切り替えは、ショートカットキーの操作による切り替えの他に、二つの表示デバイスにつながった同一の画面として表示を行なっている場合ではデスクトップ上で使用しているアプリケーションウィンドウの一方の表示デバイスから他方の表示デバイスへの移動をもってプライマリ画面とセカンダリ画面の切り替えと認識し、カメラデバイスの切り替えを行なう等の表示デバイス切り替え認識の方法も考えられる。これによって、ショートカットキーによる表示デバイス切り替え操作を行なわない場合においても、ユーザが意識することなく好適にカメラデバイスの選択を行なうことが可能である。
【００５１】
本実施形態においては外部モニタおよび外部カメラをそれぞれ一つ接続するよう例示しているがこれに限定されるものではなく、外部モニタおよび外部カメラを複数接続する場合においても複数のデバイスに適合するよう切り替え設定を設定しておくことによって、対応することが可能である。このように複数の表示、カメラデバイスに接続されているときもユーザが意識すること無く、カメラデバイスの選択を行なうことが可能なため、ユーザはカメラデバイス選択の操作の手間を無くすことが可能である。
【００５２】
また、本実施形態においては使用用途としてビデオチャット、ジェスチャーリモコンを例示しているがこれに限定されるものではなく、表示デバイスの設定によってカメラデバイスの選択を行ない、ユーザがカメラデバイスの方向を向いて操作するアプリケーション等を有するPCにおいて本実施形態を適用することが可能である。
【００５３】
本実施形態において、表示を行なう表示装置の設定が行なわれると、ユーザが設定操作を行なうことなく、表示装置の表示状態に基づいて自動的に撮影を行なう撮影装置の選択を情報処理装置が行う。
【００５４】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。さらに異なる実施形態にわたる構成要素を適宜組み合わせてもよい。
【符号の説明】
【００５５】
１０：表示撮影システム
１１：PC
１２：本体カメラ
１３：外部モニタ
１４：外部カメラ
２０１：CPU
２０２：チップセット
２０３：ROM
２０４：RAM
２０５：HDD
２０６：ODD
２０７：入力装置
２０８：入力制御部
２０９：表示制御部
２１０：VRAM
２１１：LCD
２１２：外部カメラI/F
５０：切り替え情報
５１：カウンタ項目
５２：画像出力モード項目
５３：プライマリ画面表示デバイス項目
５４：セカンダリ画面表示デバイス項目
５５：使用カメラデバイス項目
【図１】
2010170423.tif 000003
【図２】
2010170423.tif 000004
【図３】
2010170423.tif 000005
【図４】
2010170423.tif 000006
【図５】
2010170423.tif 000007
【図６】
2010170423.tif 000008